(57)【要約】  【課題】利用者の歌唱音声を録音して、利用者独自の歌入着信メロディを提供できる機能を有し、各カラオケ楽曲において、イントロ部分やサビ部分といった歌入着信メロディとして好適な歌唱部分について、利用者に対し、これを歌唱中に明確に知らしめることができると共に、その歌唱録音データを歌入着信メロディとして効率良く供給でき、利用者が自分好みの楽曲の歌入着信メロディを独自にアレンジできるカラオケ演奏装置の提供。  【解決手段】各カラオケ楽曲に歌入着信メロディとして好適な歌入着信メロディ対象歌唱区間を設定し、さらに、当該歌入着信メロディ対象歌唱区間における歌詞テロップ表示を、その他の歌唱区間における歌詞テロップ表示と識別可能に設定することで、利用者が任意のカラオケ楽曲の歌唱中、その利用者に対し、歌入着信メロディとして利用する歌唱部分を知らしめ、その対象歌唱区間の歌唱音声データを、適宜、所定の携帯電話に転送制御できるようにした。【選択図】図１
2006017756.tif 000002
【特許請求の範囲】
【請求項１】
利用者による任意のカラオケ楽曲の歌唱音声に対する録音機能を有し、当該歌唱録音データから携帯電話の歌入着信メロディを供給できるカラオケ演奏装置であって、
（ア）各カラオケ楽曲には、歌入着信メロディ対象歌唱区間が設定されてなると共に、当該歌入着信メロディ対象歌唱区間における歌詞テロップ表示が、その他の歌唱区間における歌詞テロップ表示と識別可能に設定されてなり、
（イ）利用者が任意のカラオケ楽曲を歌唱する際、前記歌入着信メロディ対象歌唱区間の歌唱音声を当該楽曲の伴奏音楽と共に録音し、その歌唱録音データを所定の記録部に記録するための録音記録手段と、
（ウ）前記所定の記録部に記録された歌唱録音データを、適宜、所定の携帯電話に転送可能に制御するための転送制御手段と、
を具備してなるカラオケ演奏装置。
【請求項２】
前記歌入着信メロディ対象歌唱区間における歌詞テロップの表示色が、その他の歌唱区間における歌詞テロップの表示色と色彩的に異にして識別可能に設定されてなる請求項１記載のカラオケ演奏装置。
【請求項３】
前記歌唱録音データが記録された後、当該歌唱録音データを試聴可能に制御するための試聴制御手段を、さらに具備してなる請求項１ないし請求２記載のカラオケ演奏装置。
【発明の詳細な説明】
【技術分野】
【０００１】
本発明は、カラオケ楽曲の伴奏音楽に合わせて歌った利用者の歌唱音声を録音し、当該歌唱の録音データから携帯電話の歌入着信メロディを供給できるカラオケ演奏装置に関する。
【背景技術】
【０００２】
近年、老若男女を問わず、携帯電話への需要が非常に高まり、幅広い人々の間で利用されている。そして、この携帯電話の着信通知手段として、現在では、着信メロディ（通称「着メロ」）が爆発的に普及している。この着信メロディは利用者の嗜好や個性を反映できる手段として愛用され、今では様々な種類のものがあるが、通常は、インターネットのモバイル専用サイトなどから提供されている。
【０００３】
ところで、近頃は特に若年層を中心として、携帯電話に様々なシールなどの飾り付けを施したり、ユニークなストラップを付けたりして自らの個性表現を求める人達が増加している。この点、着信メロディはバラエティーに富み、個性表現の代表的なものとなっている。しかしながら、通常、着信メロディは演奏される部分が予め決まっており、同一楽曲では同じフレーズが演奏される。同じフレーズが演奏されるということは、同一楽曲での個性表現について不都合であるばかりでなく、この場合では、同一場所で同一の演奏が他の携帯電話で行われた際には自他を混同してしまう。
【０００４】
そこで、従来、カラオケ演奏装置を用いて利用者の嗜好に合った好みのカラオケ楽曲のフレーズを任意に携帯電話の着信メロディとして採用できる技術が想到された。例えば、特許文献１では、カラオケ楽曲をダウンロードして再生でき、この中のサビ部分のフレーズを着信メロディとして設定できる技術が開示されている。また、特許文献２では、特定の楽曲の中で利用者が入力したい歌唱部分を選択し、当該歌唱部分のメロディを着信メロディとして入力可能な音符に変換できる楽譜データ変換装置（カラオケシステムへの組込み可能）が開示されている。
【特許文献１】特開２０００−２６７６５２号公報
【特許文献２】特開２００２−１６９５６８号公報
【０００５】
このように、現在では、カラオケ演奏装置を利用して、自分好みの着信メロディをアレンジできるようにする技術が確立されている。ところで、最近、この着信メロディと並行して歌入着信メロディ（通称「着歌」）が普及しつつある。歌入着信メロディは、実際に歌手が歌っている楽曲の一部のフレーズを取り出し、これを着信通知手段として利用するもので、好きな楽曲の歌唱入りの音楽を聴けるという意味では着信メロディよりもインパクトが強いため、今後、着信メロディと同様に定着し、普及する可能性は大きい。
【発明の開示】
【発明が解決しようとする課題】
【０００６】
さて、好きな楽曲を歌いたいという願望、特に、好きな楽曲のイントロ部やサビ部分などのフレーズを歌いたいという願望は自然と人の心の中にある。そして、究極の個性表現や自他混同の防止という観点からも、携帯電話の利用者本人が歌唱して作成した歌入着信メロディを利用するのが好ましく、潜在的な需要が大いにある。具体的には、好きな楽曲を利用者自らが歌唱することで、例え、同一楽曲で同じフレーズが演奏されても、歌唱音声が異なるため、個性表現や自他混同の防止という観点では着信メロディよりも好適である。しかしながら、従来では、各カラオケ楽曲に歌入着信メロディとして好適な歌入着信メロディ対象歌唱区間を設定し、これを歌入着信メロディとして効率良く供給できるようなシステムは想到されていなかった。
【０００７】
そこで、本発明は、上記不都合の解決を課題とし、具体的には、利用者の歌唱音声を録音して、利用者独自の歌入着信メロディを提供できる機能を有し、各カラオケ楽曲において、イントロ部分やサビ部分といった歌入着信メロディとして好適な歌唱部分について、利用者に対し、これを歌唱中に明確に知らしめることができると共に、その歌唱録音データを歌入着信メロディとして効率良く供給でき、利用者が自分好みの楽曲の歌入着信メロディを独自にアレンジできるカラオケ演奏装置の提供を課題とする。
【課題を解決するための手段】
【０００８】
上記課題を鑑み、本発明者らは、各カラオケ楽曲に歌入着信メロディとして好適な歌入着信メロディ対象歌唱区間を設定し、さらに、当該歌入着信メロディ対象歌唱区間における歌詞テロップ表示を、その他の歌唱区間における歌詞テロップ表示と識別可能に設定することで、利用者が任意のカラオケ楽曲の歌唱中、その利用者に対し、歌入着信メロディとして利用する歌唱部分を知らしめ、その対象歌唱区間の歌唱音声データを、適宜、所定の携帯電話に転送制御できるようにすることで、上記課題を解決できることを見出し、本発明の歌入着信メロディ供給機能を有するカラオケ演奏装置を想到した。
【０００９】
すなわち、本発明の請求項１記載のカラオケ演奏装置は、利用者による任意のカラオケ楽曲の歌唱音声に対する録音機能を有し、当該歌唱録音データから携帯電話の歌入着信メロディを供給できるカラオケ演奏装置であって、
（ア）各カラオケ楽曲には、歌入着信メロディ対象歌唱区間が設定されてなると共に、当該歌入着信メロディ対象歌唱区間における歌詞テロップ表示が、その他の歌唱区間における歌詞テロップ表示と識別可能に設定されてなり、
（イ）利用者が任意のカラオケ楽曲を歌唱する際、前記歌入着信メロディ対象歌唱区間の歌唱音声を当該楽曲の伴奏音楽と共に録音し、その歌唱録音データを所定の記録部に記録するための録音記録手段と、
（ウ）前記所定の記録部に記録された歌唱録音データを、適宜、所定の携帯電話に転送可能に制御するための転送制御手段と、を具備してなることを特徴とする。
【００１０】
また、本発明の請求項２記載のカラオケ演奏装置は、請求項１記載のカラオケ演奏装置において、前記歌入着信メロディ対象歌唱区間における歌詞テロップの表示色が、その他の歌唱区間における歌詞テロップの表示色と色彩的に異にして識別可能に設定されてなることを特徴とする。
【００１１】
さらに、本発明の請求項３記載のカラオケ演奏装置は、請求項１ないし請求項２記載のカラオケ演奏装置において、前記歌唱録音データが記録された後、当該歌唱録音データを試聴可能に制御するための試聴制御手段を、さらに具備してなることを特徴とする。
【発明の効果】
【００１２】
本発明の請求項１記載のカラオケ演奏装置によれば、各カラオケ楽曲に歌入着信メロディとして好適な歌入着信メロディ対象歌唱区間を設定し、当該歌入着信メロディ対象歌唱区間における歌詞テロップ表示が、その他の歌唱区間における歌詞テロップ表示と識別できることから、利用者は歌唱中に歌入着信メロディとして好適な歌唱部分を明確に知ることができて注意が喚起すると共に、利用者に対し、上手く歌うことへの動機付けになる。また、得られた歌唱録音データを歌入着信メロディとして効率良く供給でき、利用者が自分好みの楽曲の歌入着信メロディを独自にアレンジできるなどといった効果を奏する。
【００１３】
また、本発明の請求項２記載のカラオケ演奏装置によれば、請求項１記載のカラオケ演奏装置において、歌入着信メロディ対象歌唱区間における歌詞テロップの表示色を、その他の歌唱区間における歌詞テロップの表示色と色彩的に異にして識別可能に設定したことから、利用者は視覚的に明確に歌入着信メロディ対象歌唱区間を識別できると共に、歌詞テロップ表示の色変わりに慣れた利用者にとって、視覚的に自然であって歌唱を妨げず、さらに、従来の色変わり技術を好適に利用できるといった効果を奏する。
【００１４】
さらに、本発明の請求項３記載のカラオケ演奏装置によれば、請求項１ないし請求項２記載のカラオケ演奏装置において、歌唱録音データを試聴可能に制御することから、歌入着信メロディとして採用するか否かについて、試聴による利用者自身の主観的な判断を加えることができるといった効果を奏する。
【発明を実施するための最良の形態】
【００１５】
以下、本発明の歌入着信メロディ供給機能を有するカラオケ演奏装置についての最適な実施例を挙げるが、先ず、ここで、請求項１記載の（ア）から（ウ）の構成について詳述する。
【実施例１】
【００１６】
図１は本発明の一実施例であるカラオケ演奏装置のブロック構成図である。本実施例におけるカラオケ演奏装置（１）は、音源装置（１０）、コントロールアンプ（１１）、音声信号処理装置（１２）、スピーカ（Ｓ）、マイク（Ｍ）、表示手段（Ｄ）およびリモコン（Ｒ）などから構成されている。このカラオケ演奏装置（１）には、装置全体の動作を制御するＣＰＵ（２）が内蔵され、このＣＰＵ（２）には、バス（ＢＵＳ）ラインを介して、ＲＯＭ（３）、ＲＡＭ（４）、リモコンインタフェイス（５）、録音記録手段（６）、試聴制御手段（７）、通信制御手段（８）、ＨＤＤ（９）、音声データ処理部（１３）、文字表示部（１４）、表示制御部（１５）、転送制御手段（１６）などが接続されている。
【００１７】
ここで、各機能手段について少々説明する。ＲＯＭ（３）には、装置を起動するために必要な起動プログラムなどが記憶され、その他、装置全体の動作を制御するシステムプログラム、アプリケーションプログラムなどはＨＤＤ（９）のプログラム記憶エリアに記憶されている。アプリケーションプログラムとはカラオケ演奏プログラムやＩＣＭ実行プログラムなどであり、電源がオンされると各起動プログラムによってシステムプログラムやカラオケ演奏プログラムがＲＡＭ（４）に読み込まれる。また、ＨＤＤ（９）には、プログラム記憶エリアの他、楽曲データを記憶するための楽曲データ記憶エリアが設けられ、数万曲分の楽曲データを蓄積している。
【００１８】
通信制御手段（８）は、ＡＤＳＬ回線、光ファイバ回線、あるいはＩＳＤＮ回線や一般電話回線などの各種回線を介して、カラオケホスト装置から楽曲データを始め、各種データをダウンロードしてＨＤＤ（９）に書き込むが、この書込動作はＤＭＡ回路を用いて直接行われる。リモコン（Ｒ）には、液晶ディスプレイ（通称「ＬＣＤ」）が設けられ、このＬＣＤ（Liquid Crystal Display）にはタッチセンサ方式の操作パネルが装着されてＧＵＩ（Graphical User Interface）環境を提供している。さらに、楽曲コードを予約登録するために使用する発光ダイオードからなる赤外線転送部が設けられ、通常は、充電器とデータの同期処理器を兼用した充電ステーション（通称「クレードル」）に着脱可能に装着接続している。一方、本体側のリモコンインタフェイス（５）は、リモコン（Ｒ）から送られてくる赤外線信号を受信して、そのコード信号を復元してＣＰＵ（２）に入力する。例えば、リモコン（Ｒ）から楽曲コードが入力される度に、ＣＰＵ（２）は、この楽曲コードをＲＡＭ（４）に設定されている予約リストの待ち行列に登録する。
【００１９】
音源装置（１０）は、楽曲データに基づいて楽音を形成し、形成した楽音に対してエフェクトを付与してコントロールアンプ（１１）に出力する。また、音声データ処理部（１３）は、楽曲データに含まれる音声データに基づき、指定された音長や音高の音声信号を形成する。音声データはバックコーラスなど、電子的に形成し難い信号波形をそのままＰＣＭ信号として記憶したものである。この音源装置（１０）が形成した楽音信号と、音声データ処理部（１３）が演奏した音声信号は、コントロールアンプ（１１）に入力されると同時に、コントロールアンプ（１１）には、カラオケマイク（Ｍ）より採取した利用者の歌唱音声信号も入力される。コントロールアンプ（１１）はこれらのオーディオ信号に所定の効果を付与してスピーカ（Ｓ）から放音する。
【００２０】
文字表示部（１４）は、表示手段（Ｄ）の表示領域に対応するＶＲＡＭを備えている。このＶＲＡＭにはカラオケ楽曲の歌詞テロップが書き込まれるが、ＣＰＵ（２）は、この歌詞テロップの文字コードとして楽曲データの歌詞トラックに記憶されている歌詞テロップ用の文字パターンの展開処理を行う。ＣＰＵ（２）は文字コードをパターンに展開した後、これを表示領域の座標位置に対応するＶＲＡＭ上のアドレスに書き込む。この文字パターンは映像信号として表示制御部（１５）に入力される。そして、所定のカラオケ楽曲の演奏時に、ＨＤＤ（９）に蓄積されている、この楽曲に対応付けされた背景映像データから背景映像を再生し、この映像信号も表示制御部（１５）に入力される。すると、この表示制御部（１５）は、文字パターンからなる歌詞テロップを背景映像にスーパーインポーズ合成して表示する。
【００２１】
なお、表示制御部（１５）は、文字表示部（１４）の映像信号とＨＤＤ（９）からの映像信号とをスーパーインポーズ合成するだけでなく、フェード信号を入力すると文字表示部（１４）から入力される映像信号をフェードイン、フェードアウトできる。例えば、文字表示部（１４）へ歌詞テロップの文字パターンを書き込む際、表示開始タイミング前に歌詞テロップの表示エリアをフェードアウトし、表示開始タイミングになるとこの表示エリアをフェードインして別の歌詞テロップを表示したりできる。
【００２２】
録音記録手段（６）は、カラオケ楽曲の伴奏楽音信号とカラオケマイク（Ｍ）に入力された歌唱音声との混合信号をサンプリングしてＰＣＭデータへの変換処理を行うが、各カラオケ楽曲には、イントロ部分やサビ部分といった歌入着信メロディとして好適な歌唱部分について歌入着信メロディ対象歌唱区間が設定されており、この区間のＰＣＭデータは歌唱録音データとされ、歌唱されたカラオケ楽曲の楽曲コードと、歌入着信メロディ対象区間コードと共に、一旦、ＲＡＭ（４）に記録された後、楽曲コードと歌入着信メロディ対象区間コードは、速やかにＨＤＤ（９）に設けられた区間管理テーブル（Ｔ）に記録され、各歌唱録音データは所定の記録エリア（９ａ）に記録される。また、本実施例では、この記録エリア（９ａ）に記録された各歌唱録音データについては、利用者の試聴指示があれば、試聴制御手段（７）は、これらの歌唱録音データを取り出して、再生演奏するように制御することもできる。
【００２３】
転送制御手段（１６）は、この記録エリア（９ａ）に記録された歌唱録音データを、所定の携帯電話に転送可能とするように制御する。上述したように、ＲＡＭ（４）に一時的に記録される歌唱録音データは、通常、ＰＣＭデータであるが、ＨＤＤ（９）の歌唱録音データは、一般的な携帯電話における歌入着歌メロディの保存データ形式に合わせ、ＭＰ３（MPEG Audio Layer 3）形式に変換して記録される。そして、本実施例では、転送制御手段（１６）は、このＭＰ３データを所定の携帯電話（Ｐ）に対し、近距離無線通信手段であるブルートゥース（blue tooth）機構のアドホック接続を利用し、カラオケ演奏装置（１）をマスタとし、一方、携帯電話（Ｐ）をスレイブとなるようにピコネットを形成して転送させるものであるが、本発明はこれに限らず、例えば、ＩｒＤＡ（InfraRed Data Association）方式の無線ＬＡＮ機構などを利用しても構わない。
【００２４】
以下、図２に示す、歌入着信メロディ対象歌唱区間の区間管理テーブルの概念図と、図３に示す、歌入着信メロディ対象歌唱区間の歌詞イベントデータの構成図に基づき、本発明の請求項１記載の（ア）と（イ）の構成、および請求項２記載の構成について、さらに詳述する。
【００２５】
上記図１に記載のように、ＨＤＤ（９）には、各カラオケ楽曲につき、その歌入着信メロディ対象歌唱区間の区間管理テーブル（Ｔ）が設けられている。この区間管理テーブル（Ｔ）は、図２に示すように、カラオケ楽曲を特定するための「楽曲コード」フィールド（ｆ１）、予め設定された、当該楽曲のイントロ部分やサビ部分といった歌入着信メロディとして好適な各歌入着信メロディ対象歌唱区間を特定するための「歌唱区間コード」フィールド（ｆ２）、それぞれの歌唱区間を構成するフレーズを設定した「構成フレーズ」フィールド（ｆ３）、利用者が所望し、歌入着信メロディとして採用するか否かを選択するための「採用フラグ」フィールド（ｆ４）を主体としてなる。
【００２６】
この区間管理テーブル（Ｔ）に基づき、図１における録音記録手段（６）は、利用者が任意のカラオケ楽曲を歌唱する際、少なくとも、上記歌入着信メロディ対象歌唱区間を構成する構成フレーズについては、その歌唱音声を当該楽曲の伴奏音楽と共に録音し、その歌唱録音データを所定の記録エリア（９ａ）に記録する。このように、各カラオケ楽曲には歌入着信メロディ対象歌唱区間が設定され、その歌唱区間の歌唱録音データは所定の記録部に記録されるが、さらに、この歌入着信メロディ対象歌唱区間における歌詞テロップ表示は、その他の歌唱区間における歌詞テロップ表示と識別可能に設定されている。
【００２７】
図３は、各カラオケ楽曲における歌入着信メロディ対象歌唱区間の歌詞イベントデータを示している。通常、楽曲データは、ヘッダ、楽音トラック、ガイドメロディトラック、歌詞トラック、音声制御トラック、エフェクト制御トラック、音声データ部などからなっている。ヘッダは、この楽曲データに関する種々のデータが書き込まれる部分であり、曲名，ジャンル，発売日，曲の演奏時間などのデータを含んでいる。各トラックは全て、複数のイベントデータと各イベントデータの読み出しタイミングを示すタイミングデータからなるシーケンスデータとして記述されている。
【００２８】
歌詞トラックには、表示手段に表示する１行分の歌詞テロップ毎に歌詞イベントデータが記述され、各歌詞イベントデータは、その１行分の歌詞テロップ表示の際に、その開始タイミングの直前に読み出される。そして、図３に示すように、各カラオケ楽曲を特定する楽曲コード（ｄ１）に紐付けされた各歌詞イベントデータは、表示する１行分の歌詞の文字コードである文字列データ（ｄ２）、表示の開始タイミングを示す表示開始タイミングデータ（ｄ３）、表示の消去タイミングを示す表示消去タイミングデータ（ｄ４）、表示する文字列の形状を指示するフォントデータ（ｄ５）、表示する文字列の大きさを示す文字ポイントデータ（ｄ６）、表示する文字例の色を示す表示色データ（ｄ７）、どの位置に文字を表示するかを指示する表示座標データ（ｄ８）、カラオケ楽曲の演奏に合わせて歌詞テロップの色変えを指示し、Ｘ座標値の時間関数で表され、歌詞テロップの色を「表示色」から「変更色」へ変更する色替え曲線データ（ｄ９）、変更後の文字列の色を示す変更色データ（ｄ１０）などの各種データからなる。なお、色替え曲線および表示消去タイミングを示す時間は何れも、演奏開始からの時間でも、この歌詞イベントデータの読み出しタイミングからの時間でも、あるいは、文字列の表示開始タイミングからの時間でも記述しても構わない。
【００２９】
フォントデータ（ｄ５）、文字ポイントデータ（ｄ６）、表示色データ（ｄ７）、表示座標データ（ｄ８）、色替え曲線データ（ｄ９）、変更色データ（ｄ１０）には、「通常カラオケモード」（Ａ）と「歌入着信メロディモード」（Ｂ）の２つのモードが設定されており、利用者が後者のモード（Ｂ）を選択した場合、このモード（Ｂ）では、図２に示す区間管理テーブル（Ｔ）に基づき、その歌入着信メロディ対象歌唱区間における歌詞テロップ表示が、その他の歌唱区間における歌詞テロップ表示と識別可能とするように、前者のモード（Ａ）とは、フォントや文字ポイントあるいは表示色や変更色を変えることで、利用者は歌唱中に、視覚的に明確に歌入着信メロディ対象歌唱区間を識別できる。特に、歌詞テロップの表示色を色彩的に異にすることで、歌詞テロップ表示の色変わりに慣れた利用者にとって、視覚的に自然であってストレスを生ぜず、歌唱を妨げることがない。
【００３０】
以下、図４に示す、歌入着信メロディの供給手順を示す表示画面の変遷図と、図５に示す、図４の表示画面Ｄ６の拡大説明図に基づき、本発明の請求項１記載の（イ）と（ウ）の構成、および請求項３記載の構成について、さらに詳述する。
【００３１】
図４のＤ１からＤ８は、それぞれ本発明のカラオケ演奏装置が付帯するリモコンのＬＣＤ表示画面である。なお、これら画面表示は、このＬＣＤと共に、図１における表示手段（Ｄ）に表示しても構わない。なお、通常、表示手段にはＧＵＩ環境が設定されていないので、ＧＵＩ環境が備えられたリモコンが利用できない場合は、カラオケ演奏装置が付帯する操作パネルやキーボードを利用する。
【００３２】
利用者は、先ず、自らの歌入着信メロディを作成し、その供給を受けるサービスを選択するためのインタフェイス画面（図示省略）からＤ１を表出させる。このＤ１には、「Ｍｙ着歌エントリー」アイコン（２１）が設置され、利用者がこのアイコン（２１）を選択すると歌入着信メロディ供給機能システムが起動してＤ２が表出する。このＤ２には、本コンテンツが有料であることから課金処理を行うため、その支払い方法が設定されている。本実施例では、支払い方法は二つ指定され、一つは、個人ＩＤ認証と共に金銭の授受ができる前払式電子マネー用ＩＣカードを利用する方法で、もう一つは現金を利用する方法である。具体的には、「ＩＣカード」アイコン（２２）ないし「キャッシュ」アイコン（２３）を選択して支払いを行い、カラオケ演奏装置付帯のＩＣカード読み取り／書き込み装置ないしキャッシュ欄（図示省略）にて審査料が引き落とされる。なお、前払式電子マネー用ＩＣカードを利用する場合には、当該ＩＣカードには課金情報と共にエントリー情報に関するデータも記録され、利用者毎の歌入着信メロディの作成履歴を、このカラオケ演奏装置とネットワーク接続されたカラオケホスト装置内に記録することもできる。
【００３３】
料金の支払いを確認するとＤ３が表出する。このＤ３には、利用者が所望する楽曲の楽曲コードを指定するための「楽曲コード入力」欄（２４）が設置され、利用者は該当コードを入力してから「確定」アイコン（２５）を選択するとＤ４が表出する。このＤ４には、楽曲演奏と共に歌唱録音する旨のメッセージが表示され、所定時間経過後、演奏が開始される。演奏が終了すると自動的にＤ５が表出する。
【００３４】
このＤ５には、歌入着信メロディ用の歌唱音声の録音が終了した旨と、その歌唱部分を試聴できる旨を含めたメッセージが表示されると共に、「試聴」アイコン（２６）を選択すると、各歌唱部分を利用者が試聴し、判断して採用できる利用者インタフェイス画面であるＤ６が表出する。なお、このＤ５において、試聴を希望しない場合には、その「採用」アイコン（２７）を選択すればＤ６は表出されずにＤ７が表出する。
【００３５】
図５に示すように、このＤ６には、利用者が歌唱したカラオケ楽曲を特定する「楽曲コード」欄（２８）、当該楽曲の曲名を示す「曲名」欄（２９）などが設定されている。また、設定された各歌入着信メロディ対象歌唱区間が利用者に分かるように、各歌唱区間を構成する歌詞フレーズ（３１）も自動表示される。そして、利用者が試聴を所望する歌唱区間コード欄（３０）に対してチェックを入れた状態で「試聴」アイコン（３２）を選択すると、図１における試聴制御手段（７）は、当該部分の歌唱録音データを順次再生演奏するように制御する。この試聴により、利用者が採用したいと判断した場合、その「採用フラグ」欄（３３）をチェックしてフラグを立て、さらに、「採用」アイコン（２７）を選択すれば、フラグが立った歌唱録音データが、歌入着信メロディとして正式に採用され、Ｄ７が表出する。
【００３６】
次に、このＤ７には、利用者自らの歌入着信メロディが作成された旨と、利用者の携帯電話からのアクセス要請のメッセージが表示される。そして、利用者が「書込み開始」アイコン（３５）を選択し、その携帯電話からアクセスすると、採用された歌入着信メロディ用の歌唱音声データが転送される。なお、本実施例ではブルートゥース機構（ピコネット）を採用しているため、カラオケ演奏装置と携帯電話間では、先ず、チャレンジ・レスポンス方式にて認証が行われ、認証後、データ転送が行われる。そして、データ転送が終了するとＤ８が表出し、このＤ８には、サービスの終了を示すメッセージが表示される。
【００３７】
以上、詳述したように、本発明の歌入着信メロディ供給機能を有するカラオケ演奏装置によれば、各カラオケ楽曲に歌入着信メロディとして好適な歌入着信メロディ対象歌唱区間を設定し、当該歌入着信メロディ対象歌唱区間における歌詞テロップ表示が、その他の歌唱区間における歌詞テロップ表示と識別できることから、利用者は歌唱中に歌入着信メロディとして好適な歌唱部分を明確に知ることができて注意が喚起すると共に、利用者に対し、上手く歌うことへの動機付けになる。また、得られた歌唱録音データを歌入着信メロディとして効率良く供給でき、利用者が自分好みの楽曲の歌入着信メロディを独自にアレンジできるものである。
【図面の簡単な説明】
【００３８】
【図１】本発明の一実施例であるカラオケ演奏装置のブロック構成図。
【図２】歌入着信メロディ対象歌唱区間の区間管理テーブルの概念図。
【図３】歌入着信メロディ対象歌唱区間の歌詞イベントデータの構成図。
【図４】歌入着信メロディの供給手順を示す表示画面の変遷図。
【図５】図４の表示画面Ｄ６の拡大説明図。
【符号の説明】
【００３９】
１  歌入着信メロディ供給機能を有するカラオケ演奏装置
２  ＣＰＵ
４  ＲＡＭ
６  録音記録手段
７  試聴制御手段
８  通信制御手段
９  ＨＤＤ
９ａ  歌唱録音データ
１４  文字表示部
１５  表示制御部
１６  転送制御手段
Ｔ  区間管理テーブル
Ｐ  携帯電話
【図１】
2006017756.tif 000003
【図２】
2006017756.tif 000004
【図３】
2006017756.tif 000005
【図４】
2006017756.tif 000006
【図５】
2006017756.tif 000007